(57)【特許請求の範囲】
【請求項１】
基部と、
第１の端部と第２の端部とを有する拘束部品であって、該拘束部品の第１の端部は基部に回動可能に接続され、該拘束部品の第２の端部はケーブル留め具を受容するよう適合されており、
前記拘束部品は捩り部とアームとを含んでおり、前記捩り部から前記アームが前記拘束部品の第２の端部に向って延在している、制御盤用装着備品。
【請求項２】
前記基部はソケットを含み、前記拘束部品の第１の端部はソケットに回動可能に接続されたボールを含んでいる、請求項１に記載の装着備品。
【請求項３】
前記ボールは複数のフィンを含んでいる、請求項２に記載の装着備品。
【請求項４】
前記フィンのうちの少なくとも１つを他のフィンに対し凹ませた、請求項３に記載の装着備品。
【請求項５】
前記拘束部品の第２の端部を装着備品の前記基部から離間させた、請求項１に記載の装着備品。
【請求項６】
前記拘束部品の第２の端部がケーブル留め具を受容するスロットを含んでいる、請求項１に記載の装着備品。
【請求項７】
前記ケーブル留め具は、該ケーブル留め具をケーブル束に固着したときに前記スロット内を摺動する、請求項６に記載の装着備品。
【請求項８】
前記装着備品と前記ケーブル留め具とは別個の構成要素とした、請求項１に記載の装着備品。
【請求項９】
前記装着備品と前記ケーブル留め具とは一体形成されている、請求項１に記載の装着備品。
【請求項１０】
前記捩り部により前記拘束部品のアームを前記装着備品の基部に平行な方向に屈曲させることができる、請求項１に記載の装着備品。
【請求項１１】
前記基部に接続されたキャップをさらに備えている、請求項１に記載の装着備品。
【請求項１２】
前記キャップは前記基部内に弾装されている、請求項１１に記載の装着備品。
【請求項１３】
前記キャップは前記拘束部品の第１の端部を前記基部に固定している、請求項１１に記載の装着備品。
【請求項１４】
前記拘束部品の第２の端部は前記キャップ内の窓孔を挿通している、請求項１１に記載の装着備品。
【請求項１５】
前記基部と前記キャップとはソケットを形成し、前記拘束部品の第１の端部は前記ソケットに回動可能に接続されたボールを含んでいる、請求項１１に記載の装着備品。
【発明の詳細な説明】
【技術分野】
【０００１】
本発明は、制御盤あるいはロボット等の他の動的構造用のケーブル装着備品に関する。より具体的には、本発明は１以上の張力逃し機構を有する制御盤用装着備品に関する。
【背景技術】
【０００２】
制御盤用装着備品は、当業者にはよく知られている。一般に、制御盤用装着備品は基部を含んでいる。その基部は、たとえば接着剤を用いて制御盤に接続される。制御盤内の１以上のケーブルはケーブル留め具を用いて束ねられ、ケーブル留め具は制御盤用装着備品の基部に接続される。
【０００３】
制御盤用装着備品は、ケーブルの重量と、制御盤用装着備品に対し追加の張力をもたらすケーブルの動きにより生成される反動荷重もまた支持する。しかしながら、既存の制御盤用装着備品はこの付加的な張力を軽減するよう設計されてはいない。前記した如く、既存の制御盤用装着備品は堅牢であり、かくしてケーブルの移動によって生成される反動荷重を含む全荷重が装着備品の基部に集中する。この欠陥を補償するため、既存の制御盤用装着備品はそれらが対処できるケーブル数について制限され、また同じ距離に対しより多数の装着備品が要求され、その両方が組み込みの時間と費用を増大させる。余りに多数のケーブルが制御盤用装着備品に取り付けられ、あるいは不十分な数の制御盤用装着備品が用いられる場合、接着剤は役に立たず、制御盤用装着備品の基部を制御盤から分離させる一因となる。
それ故、１以上の張力逃し機構を有する制御盤用装着備品に対する必要性が存在する。
【発明の概要】
【０００４】
本発明の幾つかの実施形態は、１以上の張力逃し機構を有する制御盤用装着備品を提供するものである。装着備品は、基部と拘束部品を有する。拘束部品は、第１の端部と第２の端部とを有する。拘束部品の第１の端部は、基部に回動可能に接続される。拘束部品の第２の端部は、ケーブル留め具を受容するよう適合させる。
【図面の簡単な説明】
【０００５】
【図１】本発明の一実施形態になる制御盤に組み込まれる２個の装着備品の斜視図である。
【図２】図１の装着備品の拡大斜視図である。
【図３】取り付け前の図１の装着備品の斜視図である。
【図４】図１の装着備品用の拘束部品の斜視図である。
【図５】図４の拘束部品の拡大斜視図である。
【図６】図１の装着備品用のキャップの斜視図である。
【図７】図１の装着備品のうちの１つの一部分解斜視図である。
【図８】図７の装着備品の平面図である。
【図９】図８の９−９線に沿って見た断面図である。
【図１０】本発明の他の実施形態になる装着備品の斜視図である。
【発明を実施するための形態】
【０００６】
図１から図１０は、本発明の１以上の好ましい実施形態になる１以上の張力逃し機構を有する制御盤用装着備品１００を示す。
【０００７】
図１に最もよく見てとれるように、制御盤１０は筺体１１を含む。筺体１１は、リレーや電源および／またはプログラマブル・ロジック・コントローラー（「ＰＬＣ」）等の１以上の電子部品１２を含んでいる。制御盤１０は、扉１３もまた含んでいる。扉１３は、電子部品１２を筺体１２内で制御するディスプレイやカウンターや警報や押し釦やスイッチやタッチスクリーン等の１以上の制御部１４を含んでいる。制御部１４は、１以上のケーブル留め具１７を用いて束１６に形成のできる１以上のケーブル１５を用いて電子部品１２に接続される。
【０００８】
１以上の装着備品１００が束１６に沿った様々な位置に配置され、束１６を制御盤１０に固定している。たとえば、図１に最もよく見てとれるように、第１の装着備品１００は制御盤１０の筺体１１に接続され、第２の装着備品１００は制御盤１０の扉１３に接続される。ケーブル留め具１７、従ってケーブル１５もまた装着備品１００に接続される。
【０００９】
図１と図２に示す如く、制御盤１０の扉１３は開いていて、電子部品１２へのアクセスを可能にしている。しかしながら、扉１３は電子部品１２を周囲の環境から保護すべく閉じることができる。制御盤１０の扉１３の開閉が、ケーブル１５の束１６を移動し、そのことが片や装着備品１００の基部１１０に張力を生ぜしめる。しかしながら、装着備品１００は１以上の張力逃し機構を含んでおり、それらを下記により詳しく説明する。
【００１０】
図３に最もよく見てとれるように、各装着備品１００は基部１１０とキャップ１２０と拘束部品１３０とを含んでいる。加えて、各装着備品１００は図１と図２に示す如く制御盤１０に装着備品１００を固定する接着テープや磁気テープ等の固定具１４０を含んでいる。
【００１１】
キャップ１２０は、基部１１０に接続される。たとえば、図７に最もよく見てとれるように、さらに一対の矢印１０１により示す如く、キャップ１２０は基部１１０に弾装される。すなわち、キャップ１２０は突起１２１等の１以上の弾装備品を含み、これが装着備品１００の基部１１０上の切り溝１１１等の１以上の対応する弾装備品に係合する。
【００１２】
基部１１０とキャップ１２０とが合わさり、ソケットを形成する。たとえば、図７と図９から最もよく見てとれるように、基部１１０はソケットの第１の部分１５１を含んでおり、キャップ１２０はソケットの第２部分１５２を含んでいる。別の選択肢では、基部１１０とキャップ１２０は一体形成することができる。すなわち、基部１１０にはたとえば、一体成形弾装ソケットを含めることができる。別の選択肢では、基部１１０は、繋留線状体１３０上に対応構造を回動可能に係合させる支柱等の構造を含めることができる。
【００１３】
図４から最もよく見てとれるように、繋留線状体１３０は第１の端部１３１を含む。繋留線状体１３０の第１の端部１３１は、基部１１０に回動可能に接続されている。たとえば、図４と図５に最もよく見てとれるように、繋留線状体１３０の第１の端部１３１はボール１３３を含んでいる。ボール１３３は、ソケットに回動可能に接続されている。キャップ１２０はボール１３３を基部１１０に固定し、ボール１３３をソケット内に保持する。繋留線状体１３０は、キャップ１２０の窓孔１２２を挿通している。別の選択肢では、繋留線状体１３０の第１の端部１３１にリング等の構造を含め、装着備品１００の基部１１０上に支柱等の対応構造を回動可能に係合させることができる。図１０に最もよく見てとれるように、繋留線状体１３０の第１の端部１３１と装着備品１００の基部１１０は一体的に形成することができる。
【００１４】
図５に最もよく見てとれるように、ボール１３３は複数のフィン１３４を含んでいる。このフィン１３４はソケットとの接触状態を維持し、平行移動を最小化しつつボール１３３が回動できるようにする。加えて、ボール１３３は赤道フィン１３５を含んでいる。赤道フィン１３５は、他のフィン１３４を支持している。赤道フィン１３５は他のフィン１３４に対し凹ませてあり、そのことで図９に最もよく見てとれるように、赤道フィン１３５がキャップ１２０内の窓孔１２２により妨害されないようにする。
【００１５】
拘束部品１３０が回動できるようにすることで、ケーブル１５あるいは束１６の動きによって引き起こされた装着備品１００の基部１１０の張力の一部を逃し、かくして装着備品１００内で組み込み式張力逃しとして機能させることができる。
【００１６】
図４に最もよく見てとれるように、拘束部品１３０は第２の端部１３２を含んでいる。拘束部品１３０の第２の端部は、拘束部品１３０の第１の端部、かくして装着備品１００の基部１１０から離間している。拘束部品１３０の第２の端部１３２と装着備品１００の基部１１０との間の離間量は、拘束部品１３０の長さにより決まる。
【００１７】
図１および図２に示す如く、拘束部品１３０の第２の端部１３２はケーブル留め具１７に接続されている。たとえば、図４に最もよく見てとれるように、拘束部品１３０の第２の端部１３２はケーブル留め具１７を受容するスロット１３６を含んでいる。ケーブル留め具１７は装着備品１００とは別個であり、たとえケーブル留め具１７がケーブル１５の束１６に固定されているときでも、スロット１３６内を摺動する。別の選択肢では、拘束部品１３０の第２の端部１３２とケーブル留め具１７とは一体形成することができる。
【００１８】
ケーブル留め具１７がスロット１３６内を摺動できるようにすることで、ケーブル１５あるいは束１６の動きによって引き起こされた装着備品１００の基部１１０にかかる張力の一部を逃し、かくして装着備品１００内で組み込み式張力逃しとして機能させることができる。
【００１９】
図４に最もよく見てとれるように、拘束部品１３０は捩り部１３７を含んでいる。拘束部品１３０は、拘束部品１３０の第２の端部１３２に向かって捩り部１３７から延出するアーム１３８も含んでいる。捩り部１３７により、アーム１３８は特定の方向に屈曲あるいは撓曲できるようになる。たとえば、図４に示し、かつさらに矢印１３９が示す如く、拘束部品１３０は９０°の捩り部１３７を含んでおり、これにより拘束部品１３０のアーム１３８は装着備品１００の基部１１０に平行な平面内で屈曲あるいは撓曲することができる。拘束部品１３０に０°と１８０°との間等の任意の角度からなる捩り部１３７を含めることができる点も、同様に熟慮してある。好ましくは、捩り部１３７は図４に最もよく見られるように拘束部品１３０の第１の端部１３１近傍に配置し、拘束部品１３０のアーム１３８の屈曲性や可撓性を最大化するが、捩り部１３８を拘束部品１３０に沿う任意の場所に配置できることも同様に熟慮してある。
【００２０】
拘束部品１３０を屈曲あるいは撓曲できるようにすることで、ケーブル１５あるいは束１６の動きにより引き起こされる装着備品１００の基部１１０にかかる張力の一部を逃し、かくして装着備品１００内で組み込み式張力逃しとして機能する。
【００２１】
それ故、前記した如く、本発明の幾つかの実施形態は１以上の張力逃し機構を有する制御盤用装着備品を提供する。
【００２２】
本発明の特定の好適な実施形態を図示し説明してきたが、本発明の教示から逸脱することなく変形例と改変例が可能であることが当業者には明らかとなろう。前述の説明と添付図面に記された事項は、限定としてではなく、例示としてのみ提供されるものである。例示実施形態は数例に過ぎず、本発明の範囲を制限するものと解釈してはならない。特許請求の範囲は、その旨記載していない限り、記載順や記載構成要件に限定して読み取ってはならない。それ故、下記の請求項群およびそれに対する均等物の範囲内に包含される全ての実施形態は、本発明として特許請求の範囲に記載するものである。
【符号の説明】
【００２３】
１０  ・・・制御盤、      １１  ・・・筺体、      １２  ・・・電子部品、      １３  ・・・扉、      １４  ・・・制御部、      １５  ・・・ケーブル、      １６  ・・・束、      １７  ・・・ケーブル留め具、      １００  ・・・装着備品、      １１０  ・・・基部、      １２０  ・・・キャップ、      １３０  ・・・拘束部品、      １３３  ・・・ボール、      １３４  ・・・フィン、      １３５  ・・・赤道フィン、      １３６  ・・・スロット、      １３７  ・・・捩り部、      １３８  ・・・アーム、      １５０  ・・・ソケット
【図１】
0005526139.tif 000002
【図２】
0005526139.tif 000003
【図３】
0005526139.tif 000004
【図４】
0005526139.tif 000005
【図５】
0005526139.tif 000006
【図６】
0005526139.tif 000007
【図７】
0005526139.tif 000008
【図８】
0005526139.tif 000009
【図９】
0005526139.tif 000010
【図１０】
0005526139.tif 000011